(57)【要約】【課題】バッグ本体の開口に対して蓋を容易に閉じることが可能な釣用小物バッグを提供すること。【解決手段】小物バッグ１０は、バッグ本体１２と上蓋１５とを有する。上蓋１５は、バッグ本体１２の上面の開口１７を開閉可能に設けられている。バッグ本体１２の上端部に補強板３１〜３４が設けられている。そのため、開口１７は変形し難い。また、上蓋１５は、マチ部１０３を有する。マチ部１０３には、補強板３６が設けられている。そのため、マチ部１０３は、変形し難い。この構成によれば、上蓋１５は、開閉時にマチ部１０３と開口１７の周縁部とが当たることなく円滑に開閉動作する。【選択図】図１
2010035468.tif 000002
【特許請求の範囲】
【請求項１】
上面に開口を有するとともに当該開口に連通して収容室が区画された有底筒状のバッグ本体と、
連結部を介して上記バッグ本体に連結され、当該連結部を基準にして俯仰動作することにより上記開口を開閉する蓋体とを備え、
上記蓋体は、上記開口を閉じた状態で、上記上面を被覆する天板部及び当該天板部の周縁に連続して上記バッグ本体の上端部を囲繞するマチ部を有し、
上記バッグ本体の上端部及び上記マチ部は、剛性体で形成されている釣用小物バッグ。
【請求項２】
上記マチ部の一部が上記連結部を構成しており、
上記マチ部のうち上記連結部との境界部分のマチ寸法は、上記蓋体の俯仰動作が容易なものとなるように当該境界部分が切り欠かれることにより小さく設定されている請求項１に記載の釣用小物バッグ。
【請求項３】
上記境界部分は、上記天板部側へ湾曲するように円弧状に切り欠かれている請求項２に記載の釣用小物バッグ。
【請求項４】
上記バッグ本体の背面全体が、剛性体で形成されている請求項１から３のいずれかに記載の釣用小物バッグ。
【請求項５】
上記バッグ本体は前面を有し、当該前面の一部は透光性を備えたシートからなる請求項１から４のいずれかに記載の釣用小物バッグ。
【請求項６】
上記剛性体は、熱可塑性樹脂からなる板材である請求項１から５のいずれかに記載の釣用小物バッグ。
【請求項７】
上記バッグ本体及び上記蓋体は、防水性素材からなる請求項１から６のいずれかに記載の釣用小物バッグ。
【請求項８】
所定のステーに上記バッグ本体を固定するための取付ベルトが上記バッグ本体の背面に設けられている請求項１から７のいずれかに記載の釣用小物バッグ。
【発明の詳細な説明】
【技術分野】
【０００１】
本発明は、魚釣りの際に使用される釣用小物バッグに関し、特に、魚釣りの際に使用されるプライヤーやジグ、シンカーなどの釣用小物を収容するための釣用小物バッグに関するものである。
【背景技術】
【０００２】
魚釣りにおいては、釣人は、釣り竿が収容されたロッドケースや、水汲みバケツ、リール、仕掛けなどの各種釣り道具が収容されたタックルバッグを携行して釣り場に入る。実釣においては、釣人は、最小限必要なプライヤーやシンカー、スプールなどの小物類だけを小型のバッグ（特許文献１乃至３参照）に入れ換えて、このバッグを身に付けるか、或いはタックルバッグの外面に取り付ける。また、船釣りでは、船内における釣人の立ち位置や立ちスペースが限られているため、釣人は、ロッドケースやタックルバッグなどを船首側の空きスペースに置いておき、実釣に最小限必要な小物類だけを小型のバッグに入れ換えて、このバッグを身に付けるか、或いはタックルバッグの外面に取り付ける。
【０００３】
【特許文献１】特開２００８−１１７２４号公報
【特許文献２】特開２００７−１９５８７４号公報
【特許文献３】特開２０００−１４２９８号公報
【発明の開示】
【発明が解決しようとする課題】
【０００４】
船釣りでは、船の走行時或いは船体に波が衝突したときに跳ね上がる水しぶきがバッグにかかる場合がある。また、磯釣りでは、波しぶきがバッグにかかる場合がある。もちろん、雨天時の魚釣りでは、雨水がバッグにかかる。したがって、従来の小型バッグは、小物類を出し入れするための開口を塞ぐ蓋を備えている。この蓋は、開口から内部への浸水を防止するために、開口の周縁部を覆うマチを有する。
【０００５】
しかしながら、軽量化或いはコストダウンのため、バッグ本体が剛性の低い素材（例えば薄手のナイロン繊維）で構成されている場合、バッグ本体の開口の周縁部は一定の形状を保持し難い。そのため、釣人が上記開口を蓋で閉じようとしても、マチが周縁部に当たってしまい、蓋の天板と上記周縁部とが密着するように蓋を閉じることが困難な場合がある。この場合、釣人は、蓋を閉じるために、一方の手で釣り竿を持ちながら他方の手で周縁部の形を整える必要があるが、かかる作業は極めて面倒である。また、場合によっては、釣人は、両方の手を釣り竿から放して魚釣りを中断し、そして、両手で周縁部の形を整えなければならず、実釣の妨げになる。
【０００６】
そこで、本発明は上記事情に鑑みてなされたものであり、その目的とするところは、バッグ本体の開口に対して蓋を容易に閉じることが可能な釣用小物バッグを提供することにある。
【課題を解決するための手段】
【０００７】
(1)  上記目的が達成されるため、本発明に係る釣用小物バッグは、上面に開口を有するとともに当該開口に連通して収容室が区画された有底筒状のバッグ本体と、連結部を介して上記バッグ本体に連結され、当該連結部を基準にして俯仰動作することにより上記開口を開閉する蓋体とを備える。上記蓋体は、上記開口を閉じた状態で、上記上面を被覆する天板部及び当該天板部の周縁に連続して上記バッグ本体の上端部を囲繞するマチ部を有する。上記バッグ本体の上端部及び上記マチ部は、剛性体で形成されている。
【０００８】
このように構成されているため、蓋体のマチ部及びバッグ本体の上端部は、上記剛性体によって変形が防止されるため、常に一定の形状を保持する。したがって、釣人が蓋体で開口を閉じる際に、マチ部が開口の周縁に当たることもなく、蓋体の閉じる動作が邪魔されない。そのため、釣人は、蓋体を容易に開け閉めすることができる。
【０００９】
(2)  上記マチ部の一部が上記連結部を構成している。この場合、上記マチ部のうち上記連結部との境界部分のマチ寸法は、上記蓋体の俯仰動作が容易なものとなるように当該境界部分が切り欠かれることにより小さく設定されていることが好ましい。
【００１０】
これにより、蓋体のマチ部と開口の周縁とが干渉しなくなるため、釣人は、引っ掛かり感なく、蓋体を容易に開閉することができる。
【００１１】
(3)  上記境界部分は、上記天板部側へ湾曲するように円弧状に切り欠かれていることが好ましい。
【００１２】
(4)  上記バッグ本体の背面全体が、剛性体で形成されていてもよい。
【００１３】
このように、背面の上端部のみならず、背面全体が剛性体で形成されているため、バッグ本体の姿勢が安定する。例えば、釣人が、周知の取付手段を用いてバッグ本体を身に付けた場合、又は、船体、クーラーボックス、或いはタックルバッグなどの被取付体に設けられたステーに取り付けた場合に、釣人或いは被取付体に対するバッグ本体の姿勢が安定する。
【００１４】
(5)  上記バッグ本体は前面を有する。この場合、当該前面の一部は透光性を備えたシートからなるものであってもよい。
【００１５】
これにより、釣人は、蓋体を開けることなく、外部からバッグ本体内の収容物を確認することができる。
【００１６】
(6)  上記剛性体は、熱可塑性樹脂からなる板材であることが考えられる。
【００１７】
(7)  上記バッグ本体及び上記蓋体は、防水性素材からなることが好ましい。
【００１８】
これにより、上記バッグ本体及び上記蓋体は防水性を有する。このため、本発明の釣用小物バッグが汚れたとしても、釣人は、釣用小物バッグを水洗いすることにより容易に汚れを除去することができ、しかも、水切れがよいため、乾燥を待つ必要がない。
【００１９】
(8)  所定のステーに上記バッグ本体を固定するための取付ベルトが上記バッグ本体の背面に設けられていることが好ましい。
【００２０】
釣人は、釣用小物バッグを身に付けながら魚釣りをする場合がある。しかしながら、釣人は、仕掛けに掛かった魚を取り込む際に釣り竿が釣用小物バッグに当たったり、或いは、船釣りなどのように狭いスペースで魚釣りをする場合に船体に釣用小物バッグが当たったりしたときに、釣用小物バッグを邪魔に感じる場合がある。このような場合でも、上記取付ベルトがあれば、釣人は、船体、タックルバッグ、或いはクーラーボックスなどの被取付体に設けられたステーに取付ベルトを巻き付けて、釣人以外の箇所に釣用小物バッグを取り付けることができる。これにより、釣人は、釣用小物バッグを邪魔に感じることがなくなり、魚釣りに専念することができる。
【発明の効果】
【００２１】
本発明の釣用小物バッグによれば、バッグ本体の開口に対して蓋を容易に閉じることが可能である。
【発明を実施するための最良の形態】
【００２２】
以下、適宜図面が参照されつつ、好ましい実施形態に基づいて本発明が詳細に説明される。
【００２３】
図１及び図２は、本発明の一実施形態に係る小物バッグ１０（本発明の釣用小物バッグの一例）を前面側からみた斜視図である。図１には、開口１７に対して上蓋１５が開けられた姿勢（開放姿勢）が示されている。図２には、開口１７に対して上蓋１５が閉じられた姿勢（閉塞姿勢）が示されている。図３は、小物バッグ１０を背面側からみた斜視図である。図４は、図２における切断面IV−IVの断面図である。図５は、補強板３１〜３６の配置を示す斜視図である。図６は、小物バッグ１０の収容室２１の内面を示す上面図である。なお、図４では、ポケット７０，７１の図示が省略されている。
【００２４】
本実施形態に係る小物バッグ１０は、主として魚釣りの用途に供される。釣人は、魚釣りの際に、小物バッグ１０に、プライヤー、ルアー、シンカー、スプールなどの比較的小さい釣り道具を収容する。例えば、釣人が船上からジギングをする場合は、釣人は専らジグを小物バッグ１０に収容し、釣人がエギングをする場合は、釣人は専らエギを小物バッグ１０に収容する。要するに、釣人は、魚釣りのスタイル或いは対象魚に応じて使用する釣り道具を小物バッグ１０に収容する。釣人は、実釣中において小物バッグ１０を身に付けて携行し、必要に応じて小物バッグ１０から小物ツールを出し入れする。或いは、釣人は、小物バッグ１０がサイドのステーなどに取り付けられたタックルバッグを携行し、必要に応じて小物バッグ１０から小物ツールを出し入れする。以下、小物バッグ１０の構成について詳述される。
【００２５】
図１に示されるように、小物バッグ１０は、バッグ本体１２（本発明のバッグ本体の一例）と、バッグ本体１２の上部に設けられた上蓋１５（本発明の蓋体の一例）とを備える。
【００２６】
バッグ本体１２は、底面を有する筒状に形成されている。具体的には、バッグ本体１２は、底面を形成する底面部５１と、バッグ本体１２の周側面を形成する前面部５２、背面部５３、側面部５４，５５とを有する。前面部５２、背面部５３、側面部５４，５５は、底面部５１の周縁から垂直上方へ立設している。これら各面部５１〜５５によって囲まれた内部空間が、収容室２１（図４参照）である。つまり、各面部５１〜５５は、収容室２１を区画している。釣用の小物ツールは、収容室２１に収容される。
【００２７】
バッグ本体１２の上面に開口１７が設けられている。開口１７は、前面部５２、背面部５３、側面部５４，５５それぞれの上端によって形成されている。収容室２１は、開口１７に連通している。釣人は、開口１７から収容室２１に対して釣用の小物ツールを出し入れする。バッグ本体１２のサイズは、収容される小物ツールのサイズや量に応じて決定される。
【００２８】
前面部５２は２つのポケット７１，７２を有する。ポケット７１，７２は、前面部５２の外面（つまり、バッグ本体１２の前面）に設けられている。ポケット７１，７２は、前面部５２の外面において左右均等に配置されている。ポケット７１，７２は、メッシュ構造を有する樹脂シートで形成されている。したがって、水がポケット７１，７２に入り込んでも、水はメッシュ開口を通って外部に排出される。そのため、水はポケット７１，７２の内部に溜まらない。
【００２９】
図４に示されるように、前面部５２は、クリアシート６１と、補強板３１（本発明の剛性体の一例）とを有する。
【００３０】
クリアシート６１は、前面部５２の外面全域に設けられている。このクリアシート６１は、透光性を有するポリ塩化ビニル（ＰＶＣ）などの合成樹脂で構成されている。
【００３１】
図１に示されるように、前面部５２はループシート６３を有する。ループシート６３は、前面部５２において上端に近接する位置であって、幅方向の中央部に縫い付けられている。このループシート６３と、後述される上蓋１５に設けられたフックシート１２７とによって、面ファスナーが構成される。
【００３２】
補強板３１は、バッグ本体１２の開口１７の変形を防止するためのものである。したがって、補強板３１は、図５に示されるように、前面部５２の上端部に設けられている。補強板３１は、熱可塑性の合成樹脂からなる板材である。本実施形態では、補強板３１として、厚みが０．８ｍｍ〜１．５ｍｍの範囲内であって、ポリエチレン或いはポリプロピレンの板材が用いられる。このように構成されているため、補強板３１は、小物バッグ１０の外装を構成するクリアシート６１や後述される外装シート８６，１１１，１２１，１１５等や、裏打ちシート６０，８５，１１２，１１４，１２２等に比べて高い剛性を有する。なお、補強板３１は、釣人が小物バッグ１０を使用する際に加えられるであろう力に対して十分な剛性を有していればよく、過大な力が加えられたときに変形しないような高い剛性を有する必要はない。なお、以下に説明される補強板３２〜３６についても、補強板３１と同程度の剛性を有していればよい。
【００３３】
補強板３１は、前面部５２の幅方向に長く高さ方向に短い。本実施形態では、補強板３１の幅が前面部５２の幅に概ね一致し、その高さが後述される上蓋１５のマチ部の高さ（以下「マチ寸法」という。）Ｄ１に概ね一致する。補強板３１は、クリアシート６１の上部の内側面（収容室２１側の面）に設けられている。
【００３４】
図４に示されるように、補強板３１は、収容室２１の内面に露出される裏打ちシート６０によって被覆されている。本実施形態では、補強板３１の両面が裏打ちシート６０で被覆されている。裏打ちシート６０は、ポリ塩化ビニル（ＰＶＣ）或いはナイロン繊維などのように防水性を有する素材で構成されている。補強板３１は、裏打ちシート６０で被覆された状態で、その上端の接合部６４と下端の接合部６５とがクリアシート６１に縫い付けられている。なお、クリアシート６１、補強板３１、及び裏打ちシート６０の上端は開口１７の周縁として現れる部分である。そのため、この部分を含む開口１７の周縁は、防水性を有する化粧シート６６が縫い付けられることによって被覆されている。
【００３５】
このように、前面部５２に補強板３１が設けられているため、前面部５２の上端部は変形し難い。また、前面部５２の外面の一部、つまり、補強板３１とポケット７１，７２との間の部位（図１において２点鎖線で囲まれた部分）がクリアシート６１のみで構成されている。そのため、釣人は、上蓋１５を開けなくても、外部から収容室２１内の収容物を確認することができる。なお、ポケット７１，７２がメッシュ構造を有するため、釣人は、メッシュ開口を通じてポケット７１，７２に覆われた部分から収容室２１内の収容物を確認することも可能である。
【００３６】
図３に示されるように、背面部５３は、被連結部８０（図４参照）と、取付ベルト９０（本発明の取付ベルトの一例）とを有する。被連結部８０は、背面部５３の上部に設定されている。この被連結部８０に、上蓋１５の連結部１０５（本発明の連結部の一例）が縫い付けられて、上蓋１５が背面部５３に固定される。
【００３７】
取付ベルト９０は、ナイロン繊維で形成された帯状の部材である。取付ベルト９０は、固定部９１と、取付部９２とを有する。取付ベルト９０の長手方向の中央部９３から一端までの部位が固定部９１であり、中央部９３から他端までの部位が取付部９２である。固定部９１は、背面部５３の外面（つまり、バッグ本体１２の背面）に固定されている。本実施形態では、固定部９１は、背面部５３に縫い付けられることによって固定されている。固定部９１は、背面部５３の幅方向の中央部に固定されており、その長手方向が背面部５３の高さ方向に一致している。
【００３８】
固定部９１の表面の全域には、複数のフックからなるフックシート９５が縫い付けられている。また、取付部９２の先端側には、複数のループからなるループシート９６が縫い付けられている。フックシート９５とループシート９６とによって面ファスナーが構成される。このような取付ベルト９０が設けられているため、釣人は、小物バッグ１０を、船体、タックルバッグ、或いはクーラーボックスなどの被取付体に設けられたステーに取付ベルト９０の取付部９２を巻き付けて、被取付体に固定することができる。
【００３９】
図４及び図５に示されるように、背面部５３は、上述の補強板３１と同じ剛性の補強板３４（本発明の剛性体の一例）を有する。この補強板３４は、バッグ本体１２の開口１７の変形を防止するとともに、背面部５３全域の挫屈や折れ曲がりなどを防止するためのものである。したがって、補強板３４は、背面部５３の上端部のみならず、該上端部を含む背面部５３全域に設けられている（図５参照）。
【００４０】
補強板３４の内側面（収容室２１側の面）は、収容室２１の内面に露出される裏打ちシート８５で被覆されている。補強板３４の外側面は、背面部５３の外面に露出される外装シート８６で被覆されている。各シート８５，８６は、ポリ塩化ビニル（ＰＶＣ）或いはナイロン繊維などのように防水性を有する素材で構成されている。補強板３４は、その両面が各シート８５，８６で被覆された状態で、その上端の接合部８７と、被連結部８０と、その下端の図示しない接合部（底面部５１との境界部分）とが縫い付けられている。なお、補強板３４、裏打ちシート８５、及び外装シート８６の上端は化粧シート６６で縫い付けられることによって被覆されている。
【００４１】
図５に示されるように、側面部５４は、上述の補強板３１と同じ剛性の補強板３２（本発明の剛性体の一例）を有する。また、側面部５５は、上述の補強板３１と同じ剛性の補強板３３（本発明の剛性体の一例）を有する。これらの補強板３２，３３は、バッグ本体１２の開口１７の変形を防止するとともに、バッグ本体１２の側面の挫屈や折れ曲がりを防止するためのものである。したがって、補強板３２は、側面部５４の上端部のみならず、該上端部を含む側面部５４全域に設けられており、補強板３３は、側面部５５の上端部のみならず、該上端部を含む側面部５５全域に設けられている（図５参照）。これら補強板３２，３３は、背面部５３の補強板３４と同様に、その内側面（収容室２１側の面）が防水性を有する裏打ちシートで被覆されており、その外側面が防水性を有する外装シートで被覆されている。
【００４２】
図５に示されるように、底面部５１は、上述の補強板３１と同じ剛性の補強板３５を有する。補強板３５は、バッグ本体１２の底面の剛性を高めるためのものである。この補強板３５は、底面部５１の全域に設けられている。図には示されていないが、補強板３５は、背面部５３の補強板３４と同様に、その内側面（収容室２１側の面）が防水性を有する裏打ちシートで被覆されており、その外側面が防水性を有する外装シートで被覆されている。
【００４３】
図６に示されるように、底面部５１は貫通孔９９を有する。貫通孔９９は、底面部５１の中央部に設けられている。したがって、収容室２１に水が入り込んでも、その水は、貫通孔９９から外部へ排出される。
【００４４】
図１乃至図３に示されるように、上蓋１５はバッグ本体１２の開口１７を閉塞ものであり、バッグ本体１２の上部に設けられている。この上蓋１５は、天板部１０１と、マチ部１０３と、連結部１０５とを有する。連結部１０５は、背面部５３に設けられた被連結部８０に縫い付けられて固定されている（図４参照）。この上蓋１５は、背面側の連結部１０５を基準にしてバッグ本体１２の上面に対して俯仰動作する。つまり、上蓋１５は、被連結部８０を回動基準として、バッグ本体１２の上面を被覆して開口１７を閉塞する姿勢と当該上面から離反して開口１７を開放する姿勢との間で回動動作する。
【００４５】
図４に示されるように、天板部１０１は、天面に露出される外装シート１１１と、内側面（収容室２１側の面）に露出される裏打ちシート１１２とにより構成されている。これら各シート１１１，１１２間には、補強板は設けられていない。各シート１１１，１１２は、ポリ塩化ビニル（ＰＶＣ）或いはナイロン繊維などのように防水性を有する素材で構成されている。天板部１０１は、バッグ本体１２の上面の形状と概ね同形状に形成されている。したがって、上蓋１５が開口１７を閉塞した状態で、天板部１０１は、バッグ本体１２の上面を覆う。天板部１０１の周縁にマチ部１０３が設けられている。
【００４６】
マチ部１０３は、天板部１０１の周縁から垂直方向へ延出されている。このマチ部１０３は、図２〜図４に示されるように、上蓋１５が開口１７を閉塞した状態で、バッグ本体１２の上端部を囲繞する。
【００４７】
図３に示されるように、連結部１０５は、マチ部１０３に設けられている。マチ部１０３において、背面部５３の背面側の部位が連結部１０５である。換言すれば、マチ部１０３の一部が連結部１０５である。この連結部１０５は、背面側において概ね幅方向全域に渡って設けられている。
【００４８】
図４に示されるように、連結部１０５は、連結部１０５の外面に露出される外装シート１２１と、背面部５３と対面する面に露出される裏打ちシート１２２とから構成されている。連結部１０５の上端部及び下端部には接合部１２４，１２５が設けられている。接合部１２４は、天板部１０１の周縁に縫い付けられている。また、接合部１２５は、各シート１２１，１２２が折り返された状態でそれぞれが背面部５３の被連結部８０に縫い付けられている。これにより、上蓋１５がバッグ本体１２の上面に対して開閉可能となる。
【００４９】
図３に示されるように、マチ部１０３のマチ寸法は、一部を除いて、天板部１０１の周方向に渡って概ね均等な寸法Ｄ１に設定されている。しかしながら、マチ部１０３の一部において、そのマチ寸法が上記マチ寸法Ｄ１よりも小さい寸法Ｄ２に設定されている。つまり、マチ部１０３のマチ寸法は、天板部１０１の周方向に渡って完全に均等とはなっていない。本実施形態では、マチ部１０３のうち、連結部１０５の幅方向の両端部１０７，１０８（本発明の境界部分の一例）が天板部１０１側へ切り欠かれている。詳細には、両端部１０７，１０８は、天板部１０１へ湾曲するように円弧状に切り欠かれている。
【００５０】
本実施形態では、端部１０７は、マチ部１０３において、背面部５３と側面部５４とのコーナー部分に対応する部位（図３において連結部１０５の右端部）である。また、端部１０８は、マチ部１０３において、背面部５３と側面部５５とのコーナー部分に対応する部位（図３において連結部１０５の左端部）である。これら端部１０７，１０８は、連結部１０５を基準して上蓋１５が回動したときに、開口１７の周縁部に引っ掛かりやすい。したがって、上述の如く端部１０７，１０８が切り欠かれることによって、上蓋１５が円滑に開閉可能となる。
【００５１】
図４及び図５に示されるように、マチ部１０３は、上述の補強板３１と同じ剛性の補強板３６（本発明の剛性体の一例）を有する。この補強板３６は、マチ部１０３の変形を防止するためのものである。この補強板３６は、マチ部１０３において、連結部１０５を除く周側面に設けられている（図５参照）。
【００５２】
図４に示されるように、補強板３６の内側面（前面部５２及び側面部５４，５５と対向する面）は、上蓋１５の内面に露出される裏打ちシート１１４で被覆されている。補強板３５の外側面は、マチ部１０３の外面に露出される外装シート１１５で被覆されている。各シート１１４，１１５は、ポリ塩化ビニル（ＰＶＣ）或いはナイロン繊維などのように防水性を有する素材で構成されている。マチ部１０３の上端部及び下端部には各シート１１４，１１５のみからなる接合部１１７，１１８が設けられている。上端部の接合部１１７は、天板部１０１の周縁に縫い付けられている。また、下端部の接合部１１８は、各シート１１４，１１５が折り返された状態でそれぞれが縫い付けられている。これにより、補強板３６がマチ部１０３内に配置される。
【００５３】
図１に示されるように、マチ部１０３は、フックシート１２７を有する。フックシート１２７は、上蓋１５が閉塞姿勢にあるときに、前面部５２に設けられたループシート６３に接合可能な位置に設けられている。具体的には、フックシート１２７はマチ部１０３において、前面部５２の外面に対向する面に設けられている。
【００５４】
上述したように、本実施形態の小物バッグ１０においては、補強板３１〜３４がバッグ本体１０の上端部に設けられているため、開口１７の変形が各補強板３１〜３４によって防止される。また、補強板３６が上蓋１５のマチ部１０３に設けられているため、マチ部１０３の変形が補強板３６によって防止される。つまり、開口１７及びマチ部１０３は、常に一定の形状を保持する。このように小物バッグ１０が構成されているため、釣人が上蓋１５を開ける際に、マチ部１０３がバッグ本体１２の上端部に引っ掛からないため、上蓋１５が円滑に回動する。また、釣人が上蓋１５を閉じる際に、マチ部１０３が開口１７の周縁部に当たることがないため、上蓋１５の閉じ動作が邪魔されない。そのため、釣人は、上蓋１５を容易に閉めることができる。
【００５５】
また、上述の実施形態では、連結部１０５の両端部１０７，１０８が切り欠かれることにより、両端部１０７，１０８におけるマチ寸法Ｄ２が他の部分のマチ寸法Ｄ１よりも小さく設定されている（図３参照）。そのため、上蓋１５の開閉時に、上蓋１５のマチ部１０３と開口１７の周縁部とが干渉しなくなる。したがって、釣人は、引っ掛かり感なく、上蓋１５を容易に開閉することができる。
【００５６】
また、上述の実施形態では、背面部５３の全体に渡って補強板３４が設けられているため、例えば、釣人が小物バッグ１０を身に付けた場合、或いは、釣人が、取付ベルト９０を用いて船体やタックルバッグ、クーラーボックスなどに設けられたステーに小物バッグ１０を固定した場合に、釣人などの被取付体に対する小物バッグ１０の姿勢が安定する。
【００５７】
また、小物バッグ１０は、防水性を有する。そのため、小物バッグ１０が汚れたとしても、釣人は、小物バッグ１０を水洗いすることによって、容易に汚れを除去することができ、しかも、水切れがよいため、乾燥を待つ必要がない。
【００５８】
また、小物バッグ１０には、取付ベルト９０が設けられている。そのため、釣人は、取付ベルト９０が巻回可能なステーを有する被取付体に小物バッグ１０を取り付けることができる。例えば、釣人が小物バッグ１０を身に付けながら魚釣りをしている場合に、小物バッグ１０を邪魔に感じるときがある。具体的には、釣人は、仕掛けに掛かった魚を取り込む際に釣り竿が小物バッグ１０に当たったり、或いは、船釣りなどのように狭いスペースで魚釣りをする場合に船体に小物バッグ１０が当たったりしたときに、小物バッグ１０を邪魔に感じる。しかしながら、このような場合でも、取付ベルト９０があれば、釣人は、船体、タックルバッグ、或いはクーラーボックスなどの被取付体に設けられたステーに取付ベルト９０を巻き付けて、釣人以外の箇所に小物バッグ１０を取り付けることができる。これにより、釣人は、小物バッグ１０を邪魔に感じることがなくなり、魚釣りに専念することができる。
【図面の簡単な説明】
【００５９】
【図１】図１は、本発明の一実施形態に係る小物バッグ１０を前面側からみた斜視図であり、開口１７に対して上蓋１５が開けられた姿勢（開放姿勢）が示されている。
【図２】図２は、本発明の一実施形態に係る小物バッグ１０を前面側からみた斜視図であり、開口１７に対して上蓋１５が閉じられた姿勢（閉塞姿勢）が示されている。
【図３】図３は、小物バッグ１０を背面側からみた斜視図である。
【図４】図４は、図２における切断面IV−IVの断面図である。
【図５】図５は、補強板３１〜３６の配置を示す斜視図である。
【図６】図６は、小物バッグ１０の収容室２１の内面を示す上面図である。
【符号の説明】
【００６０】
１０・・・小物バッグ
１２・・・バッグ本体
１５・・・上蓋
２１・・・収容室
３１〜３６・・・補強板
５１・・・底面部
５２・・・前面部
５３・・・背面部
５４，５５・・・側面部
８０・・・被連結部
１０１・・・天板部
１０３・・・マチ部
１０５・・・連結部
１０７，１０８・・・端部
【図１】
2010035468.tif 000003
【図２】
2010035468.tif 000004
【図３】
2010035468.tif 000005
【図４】
2010035468.tif 000006
【図５】
2010035468.tif 000007
【図６】
2010035468.tif 000008